【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
ネットワークに接続可能なネットワーク装置であって、
ネットワークに接続可能な複数のネットワークインターフェイス回路であって、前記複数のネットワークインターフェイス回路の中の少なくとも１つのネットワークインターフェイス回路が他のネットワークインターフェイス回路よりも速い公称通信速度を有する複数のネットワークインターフェイス回路と、
前記複数のネットワークインターフェイス回路がそれぞれ接続されるネットワークに接続されているＤＨＣＰサーバから、前記複数のネットワークインターフェイス回路に対応するＩＰアドレスと、前記複数のネットワークインターフェイス回路がそれぞれ接続されるネットワークから外部のネットワークへネットワークパケットを送る時に使用される中継機器であるゲートウェイのＩＰアドレスであるゲートウェイアドレスと、を取得可能なネットワークアドレス取得部と、
前記ネットワーク装置から送信先までの経路が不明なネットワークパケットが送られる場合に使用される１つのネットワークインターフェイス回路を前記複数のネットワークインターフェイス回路の中から選択し、前記１つのネットワークインターフェイス回路に対応するゲートウェイアドレスをデフォルトゲートウェイアドレスとして設定するデフォルトゲートウェイ設定を行うデフォルトゲートウェイ設定部と、
を備え、
前記デフォルトゲートウェイ設定部は、前記ネットワークアドレス取得部が前記ゲートウェイアドレスを取得した１つ以上のネットワークインターフェイス回路の中から公称通信速度の最も速いネットワークインターフェイス回路を選択し、選択されたネットワークインターフェイス回路に対応するゲートウェイアドレスを前記デフォルトゲートウェイアドレスとして設定する自動設定モードを有する、
ネットワーク装置。
【請求項２】
請求項１に記載のネットワーク装置であって、
前記デフォルトゲートウェイ設定部は、ユーザが前記デフォルトゲートウェイアドレスを入力可能なデフォルトゲートウェイアドレス固定モードを有し、
前記デフォルトゲートウェイアドレス固定モードにおいて、前記ユーザによって入力されたデフォルトゲートウェイアドレスである入力デフォルトゲートウェイアドレスのネットワーク部と同じネットワーク部を有するＩＰアドレスを前記ネットワークアドレス取得部が取得した１つ以上のネットワークインターフェイス回路の中から公称通信速度の最も速いネットワークインターフェイス回路を選択し、選択されたネットワークインターフェイス回路に前記入力デフォルトゲートウェイアドレスを前記デフォルトゲートウェイアドレスとして設定する、
ネットワーク装置。
【請求項３】
請求項１または２に記載のネットワーク装置であって、
前記複数のネットワークインターフェイス回路は、１以上の無線ネットワークインターフェイス回路と、１以上の有線ネットワークインターフェイス回路と、の少なくとも一方を含む、ネットワーク装置。
【請求項４】
請求項１から３のいずれか一項に記載のネットワーク装置であって、
前記複数のネットワークインターフェイス回路は、
第１公称通信速度を有する第１種ネットワークインターフェイス回路と、
前記第１公称通信速度よりも低速な第２公称通信速度を有する複数の第２種ネットワークインターフェイス回路と、を含み、
前記公称通信速度の速さは、
（ｉ）前記第１種ネットワークインターフェイス回路、
（ｉｉ）２以上の前記第２種ネットワークインターフェイス回路がリンクアグリゲーションまたはＭＩＭＯを構成している場合の前記２以上の第２種ネットワークインターフェイス回路、
（ｉｉｉ）リンクアグリゲーションまたはＭＩＭＯを構成していない前記第２種ネットワークインターフェイス回路、
の順番に速い、ネットワーク装置。
【請求項５】
請求項１から４のいずれか一項に記載のネットワーク装置であって、
前記デフォルトゲートウェイ設定部は、
（ｉ）ユーザが前記デフォルトゲートウェイ設定の開始を指示したとき、
（ｉｉ）前記複数のネットワークインターフェイス回路のうちのいずれかのネットワークインターフェイス回路がリンクアップまたはリンクダウンしたとき、
（ｉｉｉ）前記ネットワーク装置が起動したとき、
のいずれかの条件が満たされたときに、前記デフォルトゲートウェイ設定を行う、ネットワーク装置。
【請求項６】
ネットワークアタッチドストレージであって、
請求項１から５のいずれか一項に記載のネットワーク装置と、
記憶部と、
を備える、ネットワークアタッチドストレージ。
【請求項７】
複数のネットワークインターフェイス回路を有し、前記複数のネットワークインターフェイス回路を用いてネットワークに接続可能なネットワーク装置であって、前記複数のネットワークインターフェイス回路の中の少なくとも１つのネットワークインターフェイス回路が他のネットワークインターフェイス回路よりも速い公称通信速度を有する複数のネットワークインターフェイス回路を有するネットワーク装置におけるデフォルトゲートウェイ設定方法であって、
前記複数のネットワークインターフェイス回路がそれぞれ接続されるネットワークに接続されているＤＨＣＰサーバから、前記複数のネットワークインターフェイス回路に対応するＩＰアドレスと、前記複数のネットワークインターフェイス回路がそれぞれ接続されるネットワークから外部のネットワークへネットワークパケットを送るとき使用される中継機器であるゲートウェイのＩＰアドレスであるゲートウェイアドレスとを取得するステップと、
前記ネットワーク装置から送信先までの経路が不明なネットワークパケットが送られる場合に使用される１つのネットワークインターフェイス回路を前記複数のネットワークインターフェイス回路の中から選択し、前記１つのネットワークインターフェイス回路に対応するゲートウェイアドレスをデフォルトゲートウェイアドレスとして設定するデフォルトゲートウェイ設定ステップと、
を備え、
前記デフォルトゲートウェイ設定ステップは、
ゲートウェイアドレスが取得された１つ以上のネットワークインターフェイス回路の中から公称通信速度の最も速いネットワークインターフェイス回路を選択し、選択されたネットワークインターフェイス回路に対応するゲートウェイアドレスを前記デフォルトゲートウェイアドレスとして設定するデフォルトゲートウェイ設定を自動的に行うステップを有する、デフォルトゲートウェイ設定方法。
【請求項８】
請求項７に記載のデフォルトゲートウェイ設定方法であって、
前記デフォルトゲートウェイアドレス設定ステップは、前記デフォルトゲートウェイ設定を自動的に行うステップに加えて、ユーザが前記デフォルトゲートウェイアドレスを入力して前記デフォルトゲートウェイ設定を行うステップを有し、
前記ユーザが前記デフォルトゲートウェイアドレスを入力してデフォルトゲートウェイ設定を行うステップは、
前記ユーザによって入力されるデフォルトゲートウェイアドレスである入力デフォルトゲートウェイアドレスのネットワーク部と同じネットワーク部を有するＩＰアドレスが取得された１つ以上のネットワークインターフェイス回路の中から公称通信速度の最も速いネットワークインターフェイス回路を選択するステップと、
選択されたネットワークインターフェイス回路に前記入力デフォルトゲートウェイアドレスを前記デフォルトゲートウェイアドレスとして設定するステップと、
を備える、デフォルトゲートウェイ設定方法。
【請求項９】
請求項７または８に記載のデフォルトゲートウェイ設定方法であって、
前記複数のネットワークインターフェイス回路は、１以上の無線ネットワークインターフェイス回路と、１以上の有線ネットワークインターフェイス回路と、の少なくとも一方を含む、デフォルトゲートウェイ設定方法。
【請求項１０】
請求項７から９のいずれか一項に記載のデフォルトゲートウェイ設定方法であって、
前記複数のネットワークインターフェイス回路は、
第１公称通信速度を有する第１種ネットワークインターフェイス回路と、
前記第１公称通信速度よりも低速な第２公称通信速度を有する複数の第２種ネットワークインターフェイス回路と、を含み、前記公称通信速度の速さは、
（ｉ）前記第１種ネットワークインターフェイス回路、
（ｉｉ）２以上の前記第２種ネットワークインターフェイス回路がリンクアグリゲーションまたはＭＩＭＯを構成している場合の前記２以上の第２種ネットワークインターフェイス回路、
（ｉｉｉ）リンクアグリゲーションまたはＭＩＭＯを構成していない前記第２種ネットワークインターフェイス回路、
の順番に速い、デフォルトゲートウェイ設定方法。
【請求項１１】
請求項７から１０のいずれか一項に記載のデフォルトゲートウェイ設定方法であって、
前記デフォルトゲートウェイ設定を自動的に行うステップは、
（ｉ）ユーザが前記デフォルトゲートウェイ設定の開始を指示したとき、
（ｉｉ）前記複数のネットワークインターフェイス回路のうちのいずれかのネットワークインターフェイス回路がリンクアップまたはリンクダウンしたとき、
（ｉｉｉ）ネットワーク装置が起動したとき、
のいずれかの条件が満たされたときに、実行される、デフォルトゲートウェイ設定方法。